(57)【要約】      （修正有）【課題】回収袋を簡単に開披でき、古紙と回収袋とを容易に分離することができる古紙回収袋を提供する。【解決手段】プラスチックシート製の袋本体１を有する古紙回収袋において、袋本体１は、１対の主面部２，２と１対の側面部３，３とからなり、１対の主面部２，２と１対の側面部の下端がヒートシールされたシール部４により袋本体１の底部を形成する。さらに、１対の主面部２，２には、引き裂き用のミシン目８，８が各主面部２の上端から下端まで延在して形成されており、該ミシン目８，８において主面部２を引き裂くことにより袋本体に収納した古紙と袋本体１とを分離可能とする。【選択図】図１
0003171856.tif 000002
【実用新案登録請求の範囲】
【請求項１】
プラスチックシート製の袋本体を有する古紙回収袋において、
前記袋本体は、１対の主面部と１対の側面部とからなり、前記１対の主面部と前記１対の側面部の下端がヒートシールされたシール部により袋本体の底部が形成されており、
前記１対の主面部には、引き裂き用のミシン目が各主面部の上端から下端まで延在して形成されており、該ミシン目において主面部を引き裂くことにより袋本体に収納した古紙と袋本体とを分離可能としたことを特徴とする古紙回収袋。
【請求項２】
各主面部の上端に上方に突出する摘み片が一体に形成され、前記ミシン目は該摘み片の基部両側から主面部の下端に向かって平行に延びる２本のミシン目である請求項１記載の古紙回収袋。
【請求項３】
各主面部の下端に下方に突出する第２の摘み片が一体に形成され、前記２本のミシン目は前記主面部上端の摘み片の基部両側から前記主面部下端の第２の摘み片の基部両側まで延在して形成されている請求項２記載の古紙回収袋。
【請求項４】
前記シール部は、前記１対の主面部と前記１対の側面部の下端を、前記２本のミシン目で挟まれた部分を除いてヒートシールすることにより形成されている請求項２または３記載の古紙回収袋。
【請求項５】
前記袋本体は、前記１対の主面部の両側端に、一方の主面部及びそれに隣接する側面部の上端と、他方の主面部及びそれに隣接する側面部の上端との間を接続するループ状の手提げ部が一体に形成されている請求項１ないし４のいずれかに記載の古紙回収袋。
【考案の詳細な説明】
【技術分野】
【０００１】
本考案は古新聞等の古紙回収袋に関する。
【背景技術】
【０００２】
従来、新聞古紙を回収するために、新聞販売店が購読者に配布している紙製の回収袋が広く用いられている。一般家庭では回収袋に新聞等の古紙を入れて、回収袋の開口部を折り曲げて粘着テープで止めたり、回収袋の外周にプラスチック紐等を巻回して縛ったりして封をしている。このような紙製の回収袋は中が見えないので、回収業者は袋の中を点検するのに粘着テープを剥がしたり、紐をほどくかもしくは切断したり、あるいはカッタで袋を切り裂いて中を調べ、古紙以外の異物があるとこれらを取り除いており、古紙の回収袋からの取り出しや仕分け作業に手間が掛かるという問題がある。また、紙製の回収袋は製造コストが高いという問題もある。
【０００３】
一方、回収袋を用いないで古紙を束ねて紐で縛って回収に付している場合もあるが、この場合には各家庭に古紙がある一定量になるまで貯めておく袋や容器を用意しておく必要があり、また、袋や容器から古紙を取り出し、きれいに束ねて紐で縛る作業は厄介なものである。
【０００４】
また、古紙収納時には袋形状をなし、古紙収納後に容易に古紙を紐で縛った状態とすることができるプラスチック製の古紙回収袋が提案されている（特許文献１参照）。しかしながら、この古紙回収袋は最終的な紐状形態とするための構成が複雑なため製造コストが高いという欠点を有している。
【先行技術文献】
【特許文献】
【０００５】
【特許文献１】特許第３１３３７４３号公報
【考案の概要】
【考案が解決しようとする課題】
【０００６】
本考案は上記問題点を解決するためになされたものであり、回収袋を簡単に開披でき、古紙と回収袋とを容易に分離することができ、しかも安価に製造することができる古紙回収袋を提供することを目的とするものである。
【課題を解決するための手段】
【０００７】
上記課題を解決するため、本考案に係る古紙回収袋は、プラスチックシート製の袋本体を有する古紙回収袋において、前記袋本体は、１対の主面部と１対の側面部とからなり、前記１対の主面部と前記１対の側面部の下端がヒートシールされたシール部により袋本体の底部が形成されており、前記１対の主面部には、引き裂き用のミシン目が各主面部の上端から下端まで延在して形成されており、該ミシン目において主面部を引き裂くことにより袋本体に収納した古紙と袋本体とを分離可能としたことを特徴とする。
【０００８】
袋本体は、各主面部の上端に上方に突出する摘み片を一体に形成し、ミシン目は摘み片の基部両側から主面部の下端に向かって平行に延びる２本のミシン目として形成するのが好ましい。
【０００９】
さらに、各主面部の下端に下方に突出する第２の摘み片を一体に形成し、２本のミシン目は主面部上端の摘み片の基部両側から主面部下端の第２の摘み片の基部両側まで延在するように形成してもよい。なお、シール部は、１対の主面部と１対の側面部の下端を、２本のミシン目で挟まれた部分を除いてヒートシールすることにより形成するのがよい。
【００１０】
なお、袋本体は、１対の主面部の両側端に、一方の主面部及びそれに隣接する側面部の上端と、他方の主面部及びそれに隣接する側面部の上端との間を接続するループ状の手提げ部を一体に形成するのが好ましい。
【考案の効果】
【００１１】
本考案によれば、袋本体の１対の主面部に、引き裂き用のミシン目が各主面部の上端から下端まで延在して形成されているので、読み終えた新聞等の古紙が収納された古紙回収袋は仕分け作業所に搬送され、回収袋が開披され仕分け作業に付されるが、ミシン目において主面部を引き裂くことにより袋本体に収納した古紙と袋本体とを容易に分離でき、紙製の回収袋による場合に比べ仕分け作業の効率を格段に向上するものである。また、本考案によれば、袋本体がプラスチックシート製で、単純な形状のミシン目を形成したものであるので、古紙回収袋を安価に製造することができる。
【図面の簡単な説明】
【００１２】
【図１】本考案に係る古紙回収袋の一実施形態を折り畳んだ状態で示す正面図である。
【図２】図１の古紙回収袋のＡ−Ａ線における断面図である。
【図３】図１の古紙回収袋に古紙を収容した状態を示す斜視図である。
【図４】本考案に係る古紙回収袋の他の実施形態を示す正面図である。
【考案を実施するための形態】
【００１３】
以下、本考案に係る古紙回収袋の実施の形態について図面を参照して説明する。図１は、本考案に係る古紙回収袋の一実施の形態の正面図であり、図２は、図１のＡ−Ａ線における断面図である。
【００１４】
本考案に係る古紙回収袋は、柔軟性を有するプラスチックシート、例えばポリエチレンシートからなる袋であって、一般にレジ袋と称されるプラスチック袋とほぼ同様の形状に形成されている。すなわち、図示の実施形態において、袋本体１は、例えばポリエチレンシートからなる筒状体の対向する部分を断面Ｖ字状に内側に折り畳んで形成した一対の側面部３，３と、一対の側面部３，３に挟まれた一対の主面部２，２とからなり、一対の主面部２，２の下端を折り畳まれた側面部３，３の下端とともにヒートシールして袋本体１の底部を閉じるシール部４を形成してある。袋本体１の一対の主面部２，２と一対の側面部３，３の上端は袋本体１内へ古紙を入れるための開口部を形成している。袋本体１は、各主要面部２と側面部３の境界に隣接し両者の折り重ねられた部分の上端から所定幅を有する帯状部分が上方に延長され、該帯状部分の上端は対向する主面部２と側面部３とに同様に形成されたもう一つの帯状部分の上端がヒートシールにより接合（６）されて、主面部２，２の両側端にループ状の手提げ部５，５が一体に形成されている。なお、本実施の形態では、袋本体１の底部は主面部２，２の下端を側面部３，３の下端とともにヒートシールしているが、主面部２，２及び側面部３，３の下端を折り畳んで重ね合わせて貼着したガゼット部を形成するようにしてもよい。
【００１５】
袋本体１を構成するプラスチックシートは、回収袋の内部が見える半透明のものが望ましい。また、回収袋の大きさは、収納した古新聞等の古紙がきれいにまとまり、古紙を収納した回収袋が取り扱いやすいものとするのがよい。すなわち、袋本体１は、新聞紙をその一紙面を四つ折りにした状態で積み重ねて収納できる寸法に形成するのがよく、具体的には袋本体１の長方形開口部の長辺と短辺（主面部２，２と側面部３，３の幅にそれぞれ相当）を四つ折りにした新聞紙の長辺と短辺よりそれぞれやや大きくした寸法とする。袋本体１の深さは、家庭で所定期間、例えば１月あるいは半月の間に発生する古紙の量や古紙を収納したときの回収袋全体の重さなどを考慮して決定すればよい。
【００１６】
本実施形態の回収袋は、図１に示すように、袋本体１の主面部２，２の上端の中央には上方に突出した摘み片７，７がそれぞれ一体的に形成されている。各主面部２には袋本体１を容易に破袋するためのミシン目８，８が形成されている。ミシン目８，８は、摘み片７の主面部２への接続部である基部の両側から主面部２の中心線に沿って平行に主面部２の下端のシール部４まで延びる２本のミシン目８，８として形成されている。各摘み片７は袋本体１を破袋する際に主面部２をミシン目８，８に沿って引き裂くための手掛かりとして使用されるものである。なお、袋本体１の底部のシール部４は、１対の主面部２，２と１対の側面部３，３の下端を、２本のミシン目８，８で挟まれた部分を除いてヒートシールすることにより形成されている。
【００１７】
このように構成した古紙回収袋に古紙を四つ折りの新聞紙大に（必要に応じ畳んで）して、袋本体１の底部が平面視で四つ折りにした新聞紙とほぼ同じ大きさの長方形となるように袋本体１の内部へ順次入れ、古紙を積み重ねた状態で収納する。このようにして古紙が収納された回収袋は、回収業者により回収され、適宜の過程を経て仕分け作業所に搬入される。仕分け作業に際し、古紙を収納した袋本体１の主面部２上端の摘み片７を摘んで図１の矢印Ｂの方向に引っ張ると、主面部２は、その中央を上端から下端まで延在している２本のミシン目８，８に沿って引き裂かれる。このように、袋本体１の主面部２，２はミシン目８，８で容易に引き裂かれ、袋本体１は開披されて、袋本体１を内容物である古紙から容易に分離することができる。すなわち、本考案に係る古紙回収袋は、回収袋を手早く引き裂いて開披して、古紙と回収袋とを分離することができ、仕分け作業が簡単になるという利点がある。なお、破袋した袋本体１は別途回収してプラスチック原料として使用することができる。
【００１８】
上記実施の形態では、摘み片７は各主面部２の上端のみに形成してあるが、図４に示すように、さらに第２の摘み片７ａを各主面部２の下端の中央から下方に突出するように追加して設けてもよい。なお、２本のミシン目８，８は主面部２の上端の摘み片７の基部両側から主面部２の下端の第２の摘み片７ａの基部の両側にわたって平行に形成してある。この場合、袋本体１の下端のシールは、第２の摘み片７ａ，７ａの両側から主面部２，２の外側端まで相対する主面部２，２の下端と側面部３の下端にヒートシールを施し、第２の摘み片７ａ，７ａ同士の重なり部を除いた第２の摘み片７ａ，７ａの両側にシール部４を形成するのがよい。このように摘み片７，７ａを主面部２の上端と下端の両方に設けた実施形態では、主面部２，２の上端の相対する摘み片７，７をテープ止め、あるいは摘み片７，７同士を結ぶことにより、搬送時の袋本体１に収容した内容物の飛び出しを防止することができ、袋本体１の破袋は主面部２，２の下端の摘み片７ａ，７ａを使用することにより上記実施形態と同様に行うことができる。
【産業上の利用可能性】
【００１９】
本考案に係る古紙回収袋は、簡単な構成でありながら、古紙と回収袋とを容易に分離することができ、古紙梱包作業、回収作業や古紙仕分け作業の作業性を向上するのに有効である。
【符号の説明】
【００２０】
１    袋本体
２    主面部
３    側面部
４    シール部
５    手提げ部
７    摘み片
７ａ    第２の摘み片
８    ミシン目
【図１】
0003171856.tif 000003
【図２】
0003171856.tif 000004
【図３】
0003171856.tif 000005
【図４】
0003171856.tif 000006